(57)【要約】【課題】形状シーリングを活用した建築資材と家具等の転倒防止器具を提供する。【解決手段】複数の化粧板と充填接着剤を一体化させた複数の形状シーリングと密封フィルムに離型剤を施した目盛フィルムまたは２層フィルムＡ・２層フィルムＢとからなる複数の形状シーリング本体のＡとＢを設けたことにより、建造物の継ぎ目及び目地の仕上げを容易に行なえ、さらに出隅入隅など角に曲線をあたえる役物と棚などを備えたことで空間利用を可能にした。また両面クッションテープａと形状シーリング本体のＡとＢとからなる家具の転倒防止器具のＡとＢとを設け、さらに形状シーリングを用いない両面クッションテープｂとプレート板とからなる家具の転倒防止器具Ｃなどを設けたことを特徴とする。【選択図】  図１
2005264621.tif 000002
【特許請求の範囲】
【請求項１】
表面の加工を施した弾性化粧板（６）・平形化粧板（７）・Ｔ形化粧板（８）・楕円形化粧板（９）・Ｒ形入隅化粧板化粧板ａ（１０）・Ｒ形入隅化粧板ｂ（１１）・Ｒ形入隅役物化粧板ａ（１２）・Ｒ形出隅化粧板（１３）・Ｒ形出隅役物化粧板（１４）などの化粧板を設け、これらの化粧板に充填接着剤（５）を固定した一体化構造の弾性形状シーリング（２８）・平形形状シーリング（２９）・Ｔ形形状シーリング（３０）・楕円形形状シーリング（３１）・Ｒ形入隅ａ形状シーリング（３２）・Ｒ形入隅ｂ形状シーリング（３３）・Ｒ形入隅役物ａ形状シーリング（３４）・Ｒ形出隅形状シーリング（３５）・Ｒ形出隅役物形状シーリング（３６）などを設けたことを特徴とする形状シーリングである。
【請求項２】
前記形状シーリングの化粧板に充填接着剤（５）を安定的に固定するための凹部の切込みを設けたことを特徴とする。
【請求項３】
化粧板の形状を細長く変化させるなどの弾力性能を備えた前記弾性化粧板（６）を設けたことを特徴とする弾性化粧板である。
【請求項４】
前記形状シーリングの充填接着剤（５）を完全密封するためのフィルムに一層構造の目盛フィルム（１）と２層構造の二層フィルムＡ（２）・二層フィルムＢ（３）などを設けたことを特徴とする密封フィルムである。
【請求項５】
前記密封フィルムに計測の目盛を施したフィルムを設けたことを特徴とする密封フィルムである。
【請求項６】
前記密封フィルムの裏面に離型剤（４）を施し、前記形状シーリングの充填接着剤（５）と合体させた一体化構造の形状シーリング本体のＡとＢ・弾性形状シーリング本体のＡとＢなどを設けたことを特徴とする形状シーリング本体と弾性形状シーリング本体である。
【請求項７】
前記Ｒ形入隅ｂ形状シーリング（３３）と前記Ｒ形出隅形状シーリング（３５）にコーナーボードとなる棚や扉などを設けたことを特徴とするＲ形入隅ｂ形状シーリングボード本体（４２）とＲ形出隅ｂ形状シーリングボード本体（４５）である。
【請求項８】
平形形状シーリング本体Ａ（３８）と平形形状シーリング本体Ｂ（４８）と楕円形形状シーリング本体Ａ（４０）と楕円形形状シーリング本体Ｂ（５０）などの表面に両面クッションテープａ（１９）で片面接着を施した一体化構造の転倒防止器具本体Ａ（５１）と転倒防止器具本体Ｂ（５２）を設けたことを特徴とする家具などの転倒防止器具である。
【請求項９】
面テープ（２５）と面テープ（２５）の間にクッションゴム（２４）を接着固定した前記両面クッションテープａ（１９）を設けたことを特徴とする両面クッションテープａ（１９）である。
【請求項１０】
プレートの内部または外部にひも（２３）などを通すための筒状の空洞（２２）若しくは輪（ワッカ）を施し、プレートの外側面に粘着力を有する面テープ（２５）などを接着したプレート板（２１）を設け、クッションゴム（２４）とプレート板（２１）を接着固定し、空洞（２２）にひも（２３）などを通した一体化構造の両面クッションテープｂ（２０）を設けたことを特徴とする家具などの転倒防止器具Ｃ本体である。
【発明の詳細な説明】
【技術分野】
【０００１】
本発明は、建築資材のシーリング材と化粧版などを用いた形状シーリングによる建物の継目部分のシーリング化粧仕上げと、出隅入隅の角に曲線を持たせると共に出隅入隅の空間を有効活用するコーナーボードに棚などを設け、さらに家具などの転倒防止器具を備えた形状シーリングと両面クッションテープなどに関するものである。
【背景技術】
【０００２】
従来のシーリング施工はコーキングガンなどで充填していた。さらに出隅入隅の角の曲線を有効活用する役物や棚などは一般的に活用されてなかった。また家具などの転倒防止器具は、金具によって固定するものと突っ張り棒での上下の圧力で固定する物などがあった。
【発明の開示】
【発明が解決しようとする課題】
【０００３】
これには、次のような欠点があった。
（イ）シーリングを充填するとき、その量の調節が素人では難しかった。
（ロ）シーリングした後にヘラなどで、平らにする必要があった。
（ハ）シーリング材がはみ出すため、テープ養生が必要であった。
（ニ）出隅入隅のコーナー空間は部屋を狭く見せるなど、息苦しさを感じさせていた。さらに空間の有効活用がなされていなかった。
（ホ）家具などの転倒防止器具の金具取り付けは、家具や壁に穴をあけるため工具が必要で手間がかかり、また家具や壁などを傷つけていた。
（へ）さらに突っ張り棒での固定は家具の上部と天井に設置することから見栄えが悪く、低い家具などは設置できなかった。
【課題を解決するための手段】
【０００４】
用途に応じた寸法の板の表面に化粧加工を施した弾性化粧板（６）・平形化粧板（７）・Ｔ形化粧板（８）・楕円形化粧板（９）・Ｒ形入隅化粧板ａ（１０）・Ｒ形入隅化粧板ｂ（１１）・Ｒ形入隅役物化粧板ａ（１２）・Ｒ形出隅化粧板（１３）・Ｒ形出隅役物化粧板（１４）など複数の形状の化粧板を設け、シーリングの充填接着剤（５）を固定するため、化粧板の裏側面の中央部および端末部などに凹部の切込みを施し、充填接着剤（５）を固定した一体化構造の弾性形状シーリング（２８）・平形形状シーリング（２９）・Ｔ形形状シーリング（３０）・楕円形形状シーリング（３１）・Ｒ形入隅ａ形状シーリング（３２）・Ｒ形入隅ｂ形状シーリング（３３）・Ｒ形入隅役物ａ形状シーリング（３４）・Ｒ形出隅形状シーリング（３５）・Ｒ形出隅役物形状シーリング（３６）などを設ける。
【０００５】
これらの形状シーリングと弾性形状シーリングなどの充填接着剤（５）を完全密封するための密封フィルムに計測の目盛を施した目盛フィルム（１）を設け、目盛フィルム（１）の裏側面に離型剤（４）を施し、前記充填接着剤（５）と一体化した構造の弾性形状シーリング本体Ａ（３７）・平形形状シーリング本体Ａ（３８）・Ｔ形形状シーリング本体Ａ（３９）・楕円形形状シーリング本体Ａ（４０）・Ｒ形入隅ａ形状シーリング本体（４１）・Ｒ形入隅ｂ形状シーリングボード本体（４２）・Ｒ形入隅役物ａ形状シーリング本体（４３）・Ｒ形出隅ａ形状シーリング本体（４４）・Ｒ形出隅ｂ形状シーリングボード本体（４５）・Ｒ形出隅役物形状シーリング本体（４６）などを設ける。
【０００６】
さらに前記目盛フィルムに２層構造を施した二層フィルムＡ（２）・二層フィルムＢ（３）を設けたことにより弾性形状シーリング本体Ｂ（４７）・平形形状シーリング本体Ｂ（４８）・Ｔ形形状シーリング本体Ｂ（４９）・楕円形形状シーリング本体Ｂ（５０）などを設ける。
【０００７】
また出隅入隅の役物形状シーリングに空間の有効利用するためのコーナーボードの棚及び扉を備えた前記Ｒ形入隅役物ｂ形状シーリングボード本体（４２）と前記Ｒ形出隅形状ｂシーリングボード本体（４５）を設ける。
【０００８】
前記平形形状シーリング本体Ｂ（４８）と前記楕円形形状シーリング本体Ｂ（５０）などの表面に両面クッションテープａ（１９）の片面を接着した一体化構造の転倒防止器具Ｂ（５２）を設ける。
【０００９】
また前記形状シーリングを用いない転倒防止器具Ｃ（５３）は、２枚のプレートの内部または外部にひも（２３）を通すための空洞（２２）若しくは輪（ワッカ）を１ヶ所以上施し、プレートの外側面と面テープ（２５）などの裏面とを接着固定したプレート板（２１）を設け、プレート板（２１）の内側面とクッションゴム（２４）の外側面とを接着固定し、空洞（２２）などの四方にひも（２３）を通した一体化構造の両面クッションテープｂ（２０）を設ける。
【００１０】
さらにひも（２３）を引き寄せクッションゴム（２４）が圧縮した状態で、ひも（２３）を固定した転倒防止器具Ｃ（５３）を設ける。なお用途に応じて、ひも（２３）に代わり針金などを用い、クッションゴム（２４）が圧縮した状態で固定しても良い。
【００１１】
またクッションゴム（２４）と面テープ（２５）の接着工法については、面テープ（２５）以外の両面テープまたは同等の粘着力を満たす物であれば良いものとする。
【００１２】
さらにテープ（２５）などの接着力を高める場合は強力接着の粘着テープなどを用いる。また転倒防止器具Ａ（５１）または転倒防止器具Ｂ（５２）と転倒防止器具Ｃ（５３）を組み合わせた複数の転倒防止器具を設けることもできる。
【００１３】
なおクッションゴム（２４）の形状は圧縮比率や強度などの用途と素材に応じて異なるものとする。
本発明は、以上のような構成よりなりうる形状シーリングと弾性形状シーリングと密封フィルムと両面クッションテープなどを活用した建築資材と家具などの転倒防止器具である。
【発明の効果】
【００１４】
このように建造物の目地など継目部分の周囲を汚すことなく容易に仕上ることが出来る形状シーリングであり、出隅入隅のコーナー部分に曲線をあたえる形状シーリングは下地材であることからクロスなどの仕上げにより部屋の一体感が生まれ、空間をひろく見せることができ狭い空間でも息苦しさを感じさせないなどの精神的な癒し効果を齎した。
さらに出隅入隅の角にコーナーボードの棚や扉などを設けたことによって、出隅入隅空間の有効活用を可能にした。
また形状シーリングを用いた両面クッションテープの転倒防止器具Ａと転倒防止器具Ｂと、形状シーリングを用いない両面クッションテープの転倒防止器具Ｃなどを設けたことによって、家具や壁などを傷つけず周囲の見栄えも損なわずにどのような形状の家具に対しても容易に取り付けることを可能にした。
さらに製造コスト面においても安価に製造できることから防災器具としてより広く提供できる転倒防止器具である。
【発明を実施するための最良の形態】
【００１５】
以下、本発明の実施の形態について図面に基づき説明する。
化粧版の表面の加工を施した図２の平形化粧板（７）・Ｔ形化粧板（８）・楕円形化粧板（９）と図８の弾性化粧板（６）と図１０のＲ形入隅化粧板ａ（１０）と図１３のＲ形入隅化粧板ｂ（１１）と図１２のＲ形入隅役物化粧板ａ（１２）と図１５のＲ形出隅化粧板（１３）と図２０のＲ形出隅役物化粧板（１４）などの複数の形状を設けた化粧板にシーリングの充填接着剤（５）を固定するため、裏側面の中央部及び端末部などに凹部の切込みを施し、充填接着剤（５）を固定した一体化構造の弾性形状シーリング（２８）・平形形状シーリング（２９）・Ｔ形形状シーリング（３０）・楕円形形状シーリング（３１）・Ｒ形入隅ａ形状シーリング（３２）・Ｒ形入隅ｂ形状シーリング（３３）・Ｒ形入隅役物ａ形状シーリング（３４）・Ｒ形出隅形状シーリング（３５）・Ｒ形出隅役物形状シーリング（３６）などを設ける。
【００１６】
これらの弾性化粧板（６）・平形化粧板（７）・Ｔ形化粧板（８）・楕円形化粧板（９）などを用途に応じた形状を用いることで建造物の目地や瓦の継目などの隙間部分を簡単に接合することを実現した。
【００１７】
なお実際の使用は、これらの形状シーリングの状態で取り付けが行なわれ、充填接着剤（５）を固定するための凹部の切込みは用途に応じて異なるものとする。
【００１８】
図３が示すように、この複数の形状シーリングと弾性形状シーリングなどの充填接着剤（５）の形状に合わせた目盛フィルム（１）に充填接着剤（５）と目盛フィルム（１）が接着しないよう目盛フィルム（１）の裏側面に離型剤（４）を施し、複数の形状シーリングの充填接着剤（５）を目盛フィルム（１）で完全密封した一体化構造の弾性形状シーリング本体Ａ（３７）・平形形状シーリング本体Ａ（３８）・Ｔ形形状シーリング本体Ａ（３９）・楕円形形状シーリング本体Ａ（４０）・Ｒ形入隅ａ形状シーリング本体（４１）・Ｒ形入隅ｂ形状シーリングボード本体（４２）・Ｒ形入隅役物ａ形状シーリング本体（４３）・Ｒ形出隅ａ形状シーリング本体（４４）・Ｒ形出隅ｂ形状シーリングボード本体（４５）・Ｒ形出隅役物形状シーリング本体（４６）などを設ける。
【００１９】
図５が示すように、離型剤（４）を施した二層フィルムＡ（２）・二層フィルムＢ（３）で平形形状シーリング（２９）の充填接着剤（５）を完全密封した一体化構造の平形形状シーリング本体Ｂ（４８）を設けることができる。
【００２０】
このように形状シーリングと弾性形状シーリングの充填接着剤（５）を二層フィルムＡ（２）・二層フィルムＢ（３）で密封することにより、弾性形状シーリング（２８）・Ｔ形形状シーリング（３０）・楕円形形状シーリング（３１）などが形状シーリング本体Ｂと弾性形状シーリング本体Ｂの構造を設けることができる。
【００２１】
これらの目盛フィルム（１）と２層フィルムＡ（２）・２層フィルムＢ（３）などの密封フィルムは充填接着剤（５）を完全密封することで乾燥による硬化と型崩れなどを保護する。
【００２２】
さらに目盛フィルム（１）と２層フィルムＡ（２）・２層フィルムＢ（３）の裏面にリカセッケンなどの離型剤（４）を塗布することで充填接着剤（５）と目盛フィルム（１）および２層フィルムＡ（２）・２層フィルムＢ（３）の接着を防ぐことを可能にした。
【００２３】
これらの密封フィルムに計測目盛を設けたことにより、切断部分の寸法を測ることなく容易に切り取ることが可能となった。
【００２４】
充填接着剤（５）の材質の硬さや目的などによって目盛フィルム（１）と二層フィルムＡ（２）・二層フィルムＢ（３）の用途が異なることから形状シーリング本体のＡとＢに分類した。なお小文字ａとｂは形状の分類である。
【００２５】
図２１が示すように、平形形状シーリング本体Ｂ（４８）の表面に両面クッションテープａ（１９）の片面を接着固定した一体化構造の転倒防止器具本体Ｂ（５２）を設けることができる。
【００２６】
このように平形形状シーリング本体Ａ（３８）・楕円形形状シーリング本体Ａ（４０）などの表面と両面クッションテープａ（１９）を一体化させることで転倒防止器具本体Ａ（５１）を設けることができる。
【００２７】
図２２が示すように、両面クッションテープｂ（２０）の構成は２枚のプレート板（２１）の内部にひも（２３）を通すための空洞（２２）を２ヶ所以上施して、ひも（２３）を四方に通し、プレートの外側面に面テープ（２５）の裏面を接着したプレート板（２１）設け、そのプレート板（２１）の内側面とクッションゴム（２４）の外側面とを接着固定を施した一体化構造の両面クッションテープｂ（２０）を設ける。
【００２８】
さらにクッションゴム（２４）を圧縮させて、ひも（２３）などで固定することによって転倒防止器具本体Ｃ（５３）を設けることができる。
【００２９】
前記の材質及び形状等について説明する。
化粧板に用いる材質は金属・プラスッチック・ウレタン・シリコン・エポキシ・ポリカネート・ラバー・石膏・ケイカル・新建材の素材などで強度があるものを用いる。また弾性化粧板はビニール・ウレタン・シリコン・ラバー・ゴムなどの弾性能力に優れた適当な素材を用いる。
【００３０】
充填接着剤（５）の素材は弾力性と粘着力に優れたウレタン・シリコン・エポキシなどの樹脂を用いる。さらに密封フィルムの目盛フィルム（１）と２層フィルムＡ（２）・２層フィルムＢ（３）に接着しないよう離型剤（４）はリカセッケンなどを用いる。
【００３１】
目盛フィルム（１）と２層フィルムＡ（２）・２層フィルムＢ（３）の素材はビニール・ポリカネート・プラスッチック・ウレタン・シリコン・ラバーなどの適当な素材を用いる。
【００３２】
クッションゴム（２４）の素材は金属バネ・ゴム・ラバー・スポンジなどの強固で弾力性に優れた適当な素材を用い、面テープ（２５）は用途に応じて粘着力に優れた強力接着の面テープ素材を用いる。
【００３３】
両面クッションテープｂ（２０）は予め圧縮して使用することから、ひも（２３）などは繊維・樹脂・針金などの弾力性のない強固な素材を用いる。さらにプレート板（２１）を引き寄せクッションゴム（２４）を圧縮させることから反発の圧力がプレート板（２１）にかかり反りかえりなどの変形を防ぐために金属・プラスチック・ポリカネートなどの強固な素材を用い、形状は用途に応じて異なるものとする。
【００３４】
なお図２３が示すようにクッションゴム（２４）の形状は逆Ｍ形を示しているが、圧縮比率や強度などを必要とする場合は用途と素材に応じて、円柱・長方形・三角形・正方形などクッションゴム（２４）の形を自由に変えることで様々な使用方法が可能となる。
【実施例１】
【００３５】
これらの実施例を図に基づき説明する。
図７が示すように、仮想目地板（１６）の目地幅に合った平形形状シーリング本体Ｂ（４８）を用い、２層フィルムＡ（２）を取りはずし仮想目地板（１６）の目地に平形形状シーリング本体Ｂ（４８）を押しながら当てはめることにより、充填接着剤（５）の余りが２層フィルムＢ（３）の表面に付着し、この２層フィルムＢ（３）の内側を指先でつまみ手前に反転させながら手を広げることで充填接着剤（５）の余分な余剰充填接着剤（１５）が仮想目地板（１６）を汚すことなく２層フィルムＢ（３）と共に取り除かれる。      
【００３６】
これにより仮想目地板（１６）の目地と平形形状シーリング本体Ｂ（４８）がしっかり接着されるとともに平形形状シーリング本体Ｂ（４８）の表面加工された化粧部分だけが残る仕上がりとなる。このように従来のシーリング工法と比べて、テープ養生やヘラ等を使用しないことから熟練の技術を要することもなく誰もが容易に行なえ、均一な仕上がりを可能にした。
【実施例２】
【００３７】
図８が示すように、弾性形状シーリング（２８）は縦方向の曳きのばし力によって、その形状を細長く変化させることができることから、目地幅の異なる壁面などに瞬時に対応することが可能となった。図９が示すように、弾性形状シーリング本体Ｂ（４７）の取り付け方法は図７の平形形状シーリング本体Ｂ（４８）と同様であるが目地幅に対応できるところが異なる。
【実施例３】
【００３８】
図１０が示すように、Ｒ形入隅ａ形状シーリング本体（４１）を構成する化粧版の形状は９０度の放射線状の台形で表面は楕円の形状を施し、充填接着剤（５）を固定するための背面の中央部に凹部の切込みを施し充填接着剤（５）を固定したＲ形入隅ａ形状シーリング（３２）と、目盛フィルム（１）と充填接着剤（５）と離型剤（４）を一体化させた構造のＲ形入隅ａ形状シーリング本体（４１）である。
【００３９】
図１１が示すように、Ｒ形入隅ａ形状シーリング本体（４１）の目盛フィルム（１）を取りはずし、入隅のコーナー部分に充填接着剤（５）を接着させ、止めピン（１８）により固定している図である。充填接着剤（５）は乾燥硬化によって充填接着剤（５）の収縮があることから壁面との密着がより強固になり、壁面とＲ形入隅ａ形状シーリング（３２）の継目部分がなめらかな仕上がりとなる。
【実施例４】
【００４０】
図１２が示すように、Ｒ形入隅役物ａ形状シーリング本体（４３）はコーナー部分の役物同士の接合とＲ形入隅役物ａ形状シーリング本体（４３）の継目を補うことから、上下の端末部分の傾斜角度は４５度と９０度とした。
【００４１】
これを固定する場合は前記Ｒ形入隅ａ形状シーリング本体（４１）の取り付け方法と同様である。
【実施例５】
【００４２】
図１３が示すように、Ｒ形入隅ｂ形状シーリングボード本体（４２）の形状は前記のＲ形入隅役物ａ形状シーリング本体（４３）と同様であるがコーナーボードの棚を備えていることから、荷加重に対応できるよう両サイドに充填接着剤（５）を備えた。図１４が示すように、Ｒ形入隅ｂ形状シーリングボード本体（４２）は入隅のコーナー部分にコーナーボードの棚などを設けたことで、その空間を有効活用したものである。
【００４３】
これを設置する場合はＲ形入隅ｂ形状シーリングボード本体（４２）の目盛フィルム（１）を取りはずし、入隅のコーナー部分と両サイドの充填接着剤（５）を壁面にしっかり押えながら接着させ、止めピン（１８）などで固定する。さらに強度を高める場合はビスなどを用いて固定すると良い。
【実施例６】
【００４４】
図１５の示すように、Ｒ形出隅ａ形状シーリング本体（４４）の化粧板の形状は半円柱形で角度は９０度から１８０度の範囲とし、安定的に固定するため両サイド部分に羽状の突起物を備えた。
【００４５】
図１７が示すように充填接着剤（５）が硬化するまでの間、止めピン（１８）で押えることができる。さらに両サイドの端末小口に凹部の切込みを施し、充填接着剤（５）を安定させた。また端末小口の角度はやや内側に施したことで充填接着剤（５）が外側に溢れることなく、内側に満遍なくいきわたらせ完全接着させることが可能になった。
【００４６】
なお図１６が示すようにＲ形出隅ａ形状シーリング本体（４４）の羽状の突起物の位置は外側面に対し平行であるが、図１８が示すようにＲ形出隅ｂ形状シーリングボード本体（４５）は外側面に対して直角に設けている。
【実施例７】
【００４７】
図１９が示すように、Ｒ形出隅ｂ形状シーリングボード本体（４５）の構造は前記Ｒ形出隅ａ形状シーリング本体（４４）の突起物の位置以外は同様であるがコーナーボードの棚や開閉扉などを備えていることから形状は大型になる。
【００４８】
さらに荷加重に対応できるようＲ形入隅ａ形状シーリング本体（４１）を両サイドに取り付けることによって補強と共に曲線のやわらかさを備えることも可能である。このように空間を有効活用したＲ形出隅ｂ形状シーリングボード本体（４５）である。これを設置する場合はＲ形出隅ｂ形状シーリングボード本体（４５）の目盛フィルム（１）を取りはずし、両サイドの充填接着剤（５）を壁面にしっかり押えながら接着させ、止めピン（１８）などで固定する。また強度を高める場合はビスなどを用いて固定すると良い。
【実施例８】
【００４９】
図２０が示すように、Ｒ形出隅役物形状シーリング本体（４６）はＲ形出隅ａ形状シーリング本体（４４）の継目の役物であることから構造は同様であるが、継目接合部の端末部分の傾斜角度は４５度と９０度の形状となる。これを取り付ける場合はＲ形出隅ａ形状シーリング本体（４４）の取り付け方法と同様である。
【００５０】
なおＲ形出隅ａ形状シーリング本体（４４）とＲ形入隅ａ形状シーリング本体（４１）の役物形状シーリングとの接合部は共に９０度の角度とする。以上のように入隅役物や出隅役物など継目の接合部４５度の端末部分同士を接合したもの若しくは一体化した役物を予め設けても良い。
【実施例９】
【００５１】
図２４が示すように、転倒防止器具本体Ｂ（５２）を取り付ける場合、先ず家具を手前に傾けた状態で仮固定して隙間の空間を備え、固定したい家具と壁との位置の確認と接着面の清掃を行ない、転倒防止器具本体Ｂ（５２）を寸法に合わせて切断すると共に固定したい両壁面に転倒防止器具本体Ｂ（５２）より幅広の面テープ（２２）を貼り、転倒防止器具本体Ｂ（５２）の面テープ（２５）のシールと２層フィルムＡ（２）を取り剥がし、両面クッションテープａ（１９）の接着面を家具の裏側面に押し当てクッションゴム（２４）を圧縮させながら接着させ家具を元の位置に戻すことで壁面に貼った面テープ（２５）と充填接着剤（５）が密着する。
【００５２】
壁面の面テープ（２５）に充填接着剤（５）が接着硬化した後に２層フィルムＢ（３）を剥がし、完全硬化させることで壁面と面テープ（２５）と転倒防止器具本体Ｂ（５２）と家具とが双方の接着力で完全に固定され、家具などの転倒を防止するこが可能となった。
【００５３】
さらに地震の揺れに対しても両面クッションテープａ（１９）の弾力性によって和らげる効果がある。また取りはずす場合は充填接着剤（５）をカッターなどの刃物で切断することで簡単に分離でき、接着した幅広の面テープ（２５）を剥がすことで壁面と家具を傷つけることもなく容易に取り外しが行なえる。
【００５４】
なお壁面または家具などの接着強度は転倒防止器具本体Ｂ（５２）と面テープ（２５）の形状と接着力によって調整することができる。
【実施例１０】
【００５５】
図２５が示すように、転倒防止器具本体Ｃ（５３）を取り付ける場合、予め固定したい家具と壁との幅や位置の確認と接着面の清掃を行ない、家具と壁の隙間よりもやや厚めの両面クッションテープｂ（２０）の片側の面テープ（２５）のシールをはがし、家具または壁の側面に接着させた後、もう一方の面テープ（２５）のシールをはがし、ひも（２３）をカッターなどで切り取ることで、圧縮されていたクッションゴム（２４）が開放され増幅し、その圧力が面テープ（２５）の接着面に加わり家具と壁とを密着させて接着固定する。
【００５６】
図２２が示すように使用前の転倒防止器具本体Ｃ（５３）の幅は、ひも（２３）によってクッションゴム（２４）が圧縮されていることから、ひも（２３）の切り離し後と比べ、半分以下の幅に圧縮することができるため、家具や壁を動かすことなく隙間に面テープ（２５）を貼って、ひも（２３）を切り取るだけで簡単に取り付けることが可能となった。なお接着力の強度は面テープ（２５）の粘着力やクッションゴム（２４）などの形状によって調整が可能である。
【００５７】
さらに地震の揺れに対してもクッションゴム（２４）の弾力性によって和らげる効果がある。また取りはずす場合はクッションゴム（２４）をカッターなどの刃物で切断することで簡単に分離でき、接着した面テープ（２５）を専用の離型剤を用いて剥がすことで壁面と家具を傷つけることもなく容易に取り外しが行なえる。
【図面の簡単な説明】
【００５８】
【図１】本発明の楕円形形状シーリング本体Ａの分離構成の斜視図である。
【図２】本発明のＴ形形状シーリングと平形形状シーリングと楕円形状シーリングの斜視図である。
【図３】本発明のＴ形形状シーリング本体Ａと平形形状シーリング本体Ａと楕円形状シーリング本体Ａの分離構成の平面図である。
【図４】本発明の平形形状シーリング本体Ｂの背面の斜視図である。
【図５】本発明の平形形状シーリング本体Ｂの分離構成の平面図である。
【図６】本発明の平形形状シーリング本体Ｂの分離構成の斜視図である。
【図７】本発明の平形形状シーリング本体Ｂの実施例を示す正面の斜視図である。
【図８】本発明の弾性形状シーリングの曳き伸ばし背面図と右側面の斜視図である。
【図９】本発明の弾性形状シーリング本体Ｂの実施例を示す正面図である。
【図１０】本発明のＲ形入隅ａ形状シーリング本体の分離構成の平面図である。
【図１１】本発明のＲ形入隅ａ形状シーリングの実施例を示す斜視図である。
【図１２】本発明のＲ形入隅役物ａ形状シーリング本体とＲ形入隅役物ａ形状シーリングの斜視図である。
【図１３】本発明のＲ形入隅ｂ形状シーリング本体の分離構成の平面図である。
【図１４】本発明のＲ形入隅ｂ形状シーリングの実施例を示す斜視図である。
【図１５】本発明のＲ形出隅ａ形状シーリング本体の分離構成の平面図である。
【図１６】本発明のＲ形出隅形状シーリングの背面斜視図である。
【図１７】本発明のＲ形出隅形状シーリングの実施例を示す斜視図である。
【図１８】本発明のＲ形出隅ｂ形状シーリングボード本体の背面斜視図である。
【図１９】本発明のＲ形出隅ｂ形状シーリングボード本体の実施例を示す斜視図である。
【図２０】本発明のＲ形出隅役物形状シーリング本体とＲ形出隅役物形状シーリングの傾斜図である。
【図２１】本発明の転倒防止器具本体Ｂの分離構成の断面斜視図である。
【図２２】本発明の転倒防止器具本体Ｃの分離構成の断面斜視図である。
【図２３】本発明の転倒防止器具本体Ｃの６面と圧縮の断面図である。
【図２４】本発明の転倒防止器具本体Ｂの実施例を示す斜視図である。
【図２５】本発明の転倒防止器具本体Ｃの実施例を示す斜視図である。
【符号の説明】
【００５９】
１．目盛フィルム                      
２．二層フィルムＡ                
３．二層フィルムＢ            
４．離型剤            
５．充填接着剤      
６．弾性化粧板           
７．平形化粧板                
８．Ｔ形化粧板                            
９．楕円形化粧板          
１０．Ｒ形入隅化粧板ａ      
１１．Ｒ形入隅化粧板ｂ            
１２．Ｒ形入隅役物化粧板ａ        
１３．Ｒ形出隅化粧板              
１４．Ｒ形出隅役物化粧板    
１５．余剰充填接着材      
１６．仮想目地板          
１７．仮想建材ボード
１８．止めピン
１９．両面クッションテープａ
２０．両面クッションテープｂ
２１．プレート板
２２．空洞
２３．ひも
２４．クッションゴム
２５．面テープ             
２６．家具            
２７．壁                        
２８．弾性形状シーリング            
２９．平形形状シーリング        
３０．Ｔ形形状シーリング          
３１．楕円形状シーリング    
３２．Ｒ形入隅ａ形状シーリング                
３３．Ｒ形入隅ｂ形状シーリング
３４．Ｒ形入隅役物ａ形状シーリング         
３５．Ｒ形出隅形状シーリング              
３６．Ｒ形出隅役物形状シーリング                          
３７．弾性形状シーリング本体Ａ        
３８．平形形状シーリング本体Ａ      
３９．Ｔ形形状シーリング本体Ａ            
４０．楕円形形状シーリング本体Ａ        
４１．Ｒ形入隅ａ形状シーリング本体            
４２．Ｒ形入隅ｂ形状シーリングボード本体
４３．Ｒ形入隅役物ａ形状シーリング本体
４４．Ｒ形出隅ａ形状シーリング本体
４５．Ｒ形出隅ｂ形状シーリングボード本体
４６．Ｒ形出隅役物形状シーリング本体
４７．弾性形状シーリング本体Ｂ
４８．平形形状シーリング本体Ｂ
４９．Ｔ形形状シーリング本体Ｂ
５０．楕円形形状シーリング本体Ｂ
５１．転倒防止器具本体Ａ
５２．転倒防止器具本体Ｂ
５３．転倒防止器具本体Ｃ
【図１】
2005264621.tif 000003
【図２】
2005264621.tif 000004
【図３】
2005264621.tif 000005
【図４】
2005264621.tif 000006
【図５】
2005264621.tif 000007
【図６】
2005264621.tif 000008
【図７】
2005264621.tif 000009
【図８】
2005264621.tif 000010
【図９】
2005264621.tif 000011
【図１０】
2005264621.tif 000012
【図１１】
2005264621.tif 000013
【図１２】
2005264621.tif 000014
【図１３】
2005264621.tif 000015
【図１４】
2005264621.tif 000016
【図１５】
2005264621.tif 000017
【図１６】
2005264621.tif 000018
【図１７】
2005264621.tif 000019
【図１８】
2005264621.tif 000020
【図１９】
2005264621.tif 000021
【図２０】
2005264621.tif 000022
【図２１】
2005264621.tif 000023
【図２２】
2005264621.tif 000024
【図２３】
2005264621.tif 000025
【図２４】
2005264621.tif 000026
【図２５】
2005264621.tif 000027